(57)【要約】【課題】第１のフィルタ部材だけでなく、第２のフィルタ部材も容易に着脱することができて、その第２のフィルタ部材の清掃性の向上を図る。【解決手段】循環風路に設けられる乾燥フィルタユニットは、上面にフィルタ部材出し入れ用の開口部を有するフィルタ収容部と、開口部を通してフィルタ収容部内に着脱可能に取り付けられ、上面に前記開口部を塞ぐ閉塞部、前面に循環風路を通る風が通る通風口、下面から後面にかけてリント捕獲用の第１のリントフィルタ部を有する第１のフィルタ部材と、第１のフィルタ部材の下流側に位置させる状態で前記開口部を通してフィルタ収容部内に着脱可能に取り付けられ、第１のリントフィルタ部に対応するように下部の水平状部から後部の立上がり部にかけてリント捕獲用の第２のリントフィルタ部を有する第２のフィルタ部材と、を備える。第２のフィルタ部材に、手指で摘まむことが可能なつまみ部を設けた。【選択図】図４
2017038849.tif 000002
【特許請求の範囲】
【請求項１】
乾燥対象の衣類が収容される乾燥室の周りに前記衣類を乾燥させる風を循環させる循環風路を設けるとともに、この循環風路に、当該循環風路を流れる風に含まれるリントを捕獲する乾燥フィルタユニットを設ける構成の衣類乾燥機において、
前記乾燥フィルタユニットは、
上面にフィルタ部材出し入れ用の開口部を有し内部を前記循環風路を流れる風が通過するフィルタ収容部と、
前記開口部を通して前記フィルタ収容部内に着脱可能に取り付けられ、上面に前記開口部を塞ぐ閉塞部、前面に前記循環風路を通る風が通る通風口、下面から後面にかけてリント捕獲用の第１のリントフィルタ部を有する第１のフィルタ部材と、
この第１のフィルタ部材の下流側に位置させる状態で前記開口部を通して前記フィルタ収容部内に着脱可能に取り付けられ、前記第１のフィルタ部材における前記第１のリントフィルタ部に対応するように下部の水平状部から後部の立上がり部にかけてリント捕獲用の第２のリントフィルタ部を有する第２のフィルタ部材と、を備え、
前記第２のフィルタ部材に、手指で摘まむことが可能なつまみ部が設けられている衣類乾燥機。
【請求項２】
前記第２のフィルタ部材は、前記フィルタ収容部への取付状態で当該フィルタ収容部に係合する係合部を前記水平状部の前部と前記立上がり部の上部に備えている請求項１記載の衣類乾燥機。
【請求項３】
前記フィルタ収容部には、前記つまみ部に対応する部位に凹部が設けられている請求項１または２記載の衣類乾燥機。
【請求項４】
前記つまみ部は、水平方向に突出している請求項１から３のいずれか一項記載の衣類乾燥機。
【請求項５】
前記つまみ部は、頭部を手指で摘まむことが可能なねじで構成している請求項１から４のいずれか一項記載の衣類乾燥機。
【請求項６】
前記フィルタ収容部内に前記第２のフィルタ部材を配置した状態で前記第１のフィルタ部材を取り付けると、前記第２のフィルタ部材が前記フィルタ収容部に対して非係合状態から係合状態となる請求項１から５のいずれか一項記載の衣類乾燥機。
【発明の詳細な説明】
【技術分野】
【０００１】
本発明の実施形態は、衣類乾燥機に関する。
【背景技術】
【０００２】
衣類乾燥機としては、衣類の洗濯機能と乾燥機能を備えた例えばドラム式の洗濯乾燥機が知られている。この種の洗濯乾燥機においては、乾燥室として機能する水槽の周りに衣類を乾燥させる風を循環させる循環風路を設けるとともに、この循環風路に、当該循環風路を流れる風に含まれるリントを捕獲する乾燥フィルタユニットを設ける構成となっている。
【０００３】
その乾燥フィルタユニットとしては、上面にフィルタ部材出し入れ用の開口部を有し内部を風が通過するフィルタ収容部と、前記開口部を通して着脱可能に取り付けられ、通過する風に含まれるリントを捕獲する第１のリントフィルタ部を有する第１のフィルタ部材と、前記フィルタ収容部にあって第１のフィルタ部材の下流側に取り付けられ、通過する風に含まれるリントを捕獲する第２のリントフィルタ部を有する第２のフィルタ部材を設けた構成のものがある。この場合、リントを捕獲するリントフィルタ部が２段となっているので、リントの捕獲効率を向上させることが可能となる。
【先行技術文献】
【特許文献】
【０００４】
【特許文献１】特開２０１０−２２０９４６号公報
【発明の概要】
【発明が解決しようとする課題】
【０００５】
上記した構成のものでは、第１のフィルタ部材は着脱が容易であるため、その第１のフィルタ部材を取り外すことで、これの第１のリントフィルタ部を容易に掃除することがでる。しかしながら、第１のフィルタ部材の下流に位置する第２のフィルタ部材は容易に着脱することができないため、第２のリントフィルタ部を掃除しようとしても容易に掃除することができないという課題がある。
【０００６】
そこで、第１のフィルタ部材だけでなく、第２のフィルタ部材も容易に着脱することができて、その第２のフィルタ部材の清掃性の向上を図ることができる衣類乾燥機を提供する。
【課題を解決するための手段】
【０００７】
本実施形態の衣類乾燥機は、乾燥対象の衣類が収容される乾燥室の周りに前記衣類を乾燥させる風を循環させる循環風路を設けるとともに、この循環風路に、当該循環風路を流れる風に含まれるリントを捕獲する乾燥フィルタユニットを設ける構成のものである。乾燥フィルタユニットは、上面にフィルタ部材出し入れ用の開口部を有し内部を前記循環風路を流れる風が通過するフィルタ収容部と、前記開口部を通して前記フィルタ収容部内に着脱可能に取り付けられ、上面に前記開口部を塞ぐ閉塞部、前面に前記循環風路を通る風が通る通風口、下面から後面にかけてリント捕獲用の第１のリントフィルタ部を有する第１のフィルタ部材と、この第１のフィルタ部材の下流側に位置させる状態で前記開口部を通して前記フィルタ収容部内に着脱可能に取り付けられ、前記第１のフィルタ部材における前記第１のリントフィルタ部に対応するように下部の水平状部から後部の立上がり部にかけてリント捕獲用の第２のリントフィルタ部を有する第２のフィルタ部材と、を備える。前記第２のフィルタ部材に、手指で摘まむことが可能なつまみ部を設けた。
【図面の簡単な説明】
【０００８】
【図１】第１実施形態に係る洗濯乾燥機の外観斜視図
【図２】洗濯乾燥機の内部を模式的に示す縦断側面図
【図３】乾燥フィルタユニットを組み込んだ部分のフィルタカバーを開放した状態での斜視図
【図４】乾燥フィルタユニットの分解斜視図
【図５】乾燥フィルタユニットを組み込んだ状態における縦断側面図
【図６】第２のフィルタ部材を斜め上方から見た斜視図
【図７】フィルタ収容部に第２のフィルタ部材を取り付けた状態における縦断側面図
【図８】第１のフィルタ部材を下部後方側から見た状態の斜視図
【図９】第２実施形態を示す図６相当図
【図１０】第３実施形態を示すもので、つまみ部としてねじを取り付けた状態での図７相当図
【発明を実施するための形態】
【０００９】
以下、複数の実施形態による衣類乾燥機を図面を参照しながら説明する。なお、各実施形態において実質的に同一の構成部位には同一の符号を付し、説明を省略する。
（第１実施形態）
まず、第１実施形態について図１から図８を参照して説明する。図１および図２には、衣類乾燥機としてドラム式の洗濯乾燥機１の概略構成が示されている。この洗濯乾燥機１は、衣類の洗濯機能と乾燥機能を備えている。洗濯乾燥機１の外箱２は、ほぼ矩形の箱状をなしていて、前面部２ａがやや前下がりに傾斜している。その前面部２ａには、洗濯物出入口３が設けられているとともに、この洗濯物出入口３を開閉する扉４が回動可能に設けられている。
【００１０】
外箱２の上面部２ｂの前部には、操作パネル５が設けられている。この操作パネル５は、電源オンボタン６、電源オフボタン７、およびタッチパネル８を備えている。電源オンボタン６を押すことで電源がオンされ、電源オフボタン７を押すことで電源がオフされる。タッチパネル８は、使用者による種々の入力を受け付ける入力部としての機能と、使用者に対する種々の表示を行う表示部としての機能を有していて、運転コースなどの設定を行うことができる。
【００１１】
外箱２内には、水槽９（図２参照）が図示しないサスペンションにより弾性的に支持された状態で配設されている。この水槽９は、円筒状をなし、後面が水槽端板１０により閉鎖されている。水槽９は、これの軸線が前後方向を向く横向きで、かつやや前上がりの傾斜状態で配置されていて、前面開口部９ａがべローズ１１を介して前記洗濯物出入口３に接続されている。洗濯乾燥機１には、詳細には示されていないが、水槽９内へ給水するための給水機構が設けられていて、水槽９内に供給された水は水槽９内に貯留される。水槽９の後部の底部には排水口１２が設けられていて、この排水口１２に、排水弁１３を介して排水管１４が接続されている。排水弁１３が開放されることに伴い、水槽９内に貯留されていた水は、排水管１４を通して機外へ排出される。
【００１２】
水槽９内には、回転槽１５が回転可能に配設されている。この回転槽１５も、水槽９と同様に、後面が回転槽端板１６により閉鎖された円筒状をなしていて、これの軸線が前後方向を向く横向きで、かつやや前上がりの傾斜状態で配置されている。回転槽１５の前面開口部１５ａは、水槽９の前面開口部９ａおよび洗濯物出入口３に連通していて、扉４を開放することで、洗濯物出入口３、水槽９の前面開口部９ａ、および回転槽１５の前面開口部１５ａを通して回転槽１５に対して衣類を出し入れすることができる。したがって、回転槽１５内には、洗濯および乾燥の対象となる衣類が出し入れ可能に収容される。
【００１３】
回転槽１５の周壁部および回転槽端板１６には多数の孔部１７が形成されている。この孔部１７は、洗濯運転における洗いやすすぎ時には、水槽９内と回転槽１５内との間で水の移動が可能な通水孔として機能し、脱水時には脱水孔として機能し、乾燥運転時には空気の移動が可能な通風孔として機能する。
【００１４】
水槽９の背面にはモータ１８が設けられている。このモータ１８は、この場合アウターロータタイプのＤＣブラシレスモータにより構成されていて、これの回転軸１９が水槽端板１０を貫通して回転槽端板１６に連結されている。回転槽１５は、モータ１８により直接回転駆動される。水槽９は、乾燥運転時に乾燥対象の衣類を収容する乾燥室として機能する。
【００１５】
外箱２内において、水槽９の周りには循環風路２０が設けられている。この循環風路２０は、この場合、排気ダクト２１と、乾燥フィルタユニット２２のフィルタ収容部２３と、中間ダクト２４と、ヒートポンプ用ダクト２５と、給気ダクト２６を備えている。水槽９には、前方から見て右上部に位置させて排気口２７が設けられていて、この排気口２７に、循環風路２０の一端部を構成する排気ダクト２１の一端部が接続されている。排気ダクト２１の後端部が、前記乾燥フィルタユニット２２のフィルタ収容部２３に前方から接続されている。乾燥フィルタユニット２２については、後で詳述する。
【００１６】
フィルタ収容部２３の後部に、中間ダクト２４が連通している。この中間ダクト２４の端部は、後方から下方に向けて延びていて、水槽９の下方に配設されたヒートポンプ用ダクト２５の一端部に接続されている。ヒートポンプ用ダクト２５内には、ヒートポンプ２８の蒸発器２９と凝縮器３０が収容配置されている。
【００１７】
ここで、ヒートポンプ２８は、周知のように、冷媒を圧縮して吐出する圧縮機（図示せず）と、この圧縮機から吐出された高温高圧の冷媒を凝縮して液化させる凝縮器３０と、この凝縮器３０で液化した冷媒の流量を調整する絞り装置（図示せず）と、この絞り装置を通った冷媒を蒸発させる蒸発器２９を、配管でサイクル接続して構成されたもので、冷凍サイクルを構成している。このうち、凝縮器３０は、ヒートポンプ用ダクト２５内を流れる空気を加熱する加熱手段として機能し、蒸発器２９は、ヒートポンプ用ダクト２５内を流れる空気を冷却して除湿する除湿手段として機能する。ヒートポンプ用ダクト２５において、蒸発器２９が中間ダクト２４との接続部寄りに配置され、凝縮器３０が給気ダクト２６寄りに配置されている。
【００１８】
ヒートポンプ用ダクト２５と給気ダクト２６との接続部分には送風機３１が配設されている。送風機３１は、ファンケーシング３２と、このファンケーシング３２内に配設されたファン３３と、このファン３３を回転駆動するファンモータ３４を備えていて、ファンケーシング３２の吸気口３２ａがヒートポンプ用ダクト２５に接続され、吐出口３２ｂが上に向けられて給気ダクト２６の下端部に接続されている。給気ダクト２６の上端部は、水槽９の背面側を上方に向けて延び、水槽端板１０の上部に設けられた給気口３５に接続されている。
【００１９】
次に、乾燥フィルタユニット２２について図３から図８も参照して説明する。乾燥フィルタユニット２２におけるフィルタ収容部２３は、外箱２内の右上部に配置され、図４に示すように、上面にフィルタ部材出し入れ用の矩形状の開口部３６を有し、図５に示すように、前面が前記排気ダクト２１に連通し、後面が前記中間ダクト２４に連通していて、内部が空洞状態となっている。外箱２の上面部２ｂには、乾燥フィルタユニット２２に対応する部位に開口部５７が形成されていて、フィルタ収容部２３の開口部３６が、その開口部５７に連通している。
【００２０】
フィルタ収容部２３内には、第１のフィルタ部材３７と第２のフィルタ部材３８が、前記開口部３６を通して着脱可能に取り付けられている。このうち、第１のフィルタ部材３７は、箱状をなし上部に凹状の閉塞部４０（図５参照）を有したフィルタ本体部３９と、閉塞部４０に上方から装着されたフィルタパネル４１を備えている。フィルタパネル４１には矩形状の開口部からなる手掛け部４１ａが設けられていて、その手掛け部４１ａに手指を挿入して掴むことで、第１のフィルタ部材３７全体をフィルタ収容部２３に対して出し入れすることができる。フィルタ本体部３９は、左右両側に側壁部３９ａ，３９ｂを有し、前面に矩形状の通風口４２を有し、下面から後面にかけてリント捕獲用の第１のリントフィルタ部４３（図５および図８参照）を有している。第１のリントフィルタ部４３はＬ字状をなしている。
【００２１】
第２のフィルタ部材３８は、第１のフィルタ部材３７におけるフィルタ本体部３９の下側に配置される。この第２のフィルタ部材３８は、図５〜図７にも示すように、第１のリントフィルタ部４３に対応するように下部の水平状部３８ａから後部の立上がり部３８ｂにかけてリント捕獲用の第２のリントフィルタ部４４を有していて、横から見てＬ字状をなしている。この第２のフィルタ部材３８は、水平状部３８ａの前端部に第１の係合部４５を有し、立上がり部３８ｂの上部の後部に第２の係合部４６（図７参照）を有し、立上がり部３８ｂの上部の中央部に上方へ突出するつまみ部４７を有している。
【００２２】
このうち、第１の係合部４５は、弾性変形可能な爪状に構成されていて、水平状部３８ａの前端部の３箇所に設けられている。第２の係合部４６は、上部が開口した溝状に構成されている。つまみ部４７は、上方へ突出する舌片状をなしていて、使用者が手指で摘まむことができる構成となっている。第２のフィルタ部材３８は、図７に示すように、フィルタ収容部２３内の下部に配置され、下部前部の第１の係合部４５を、フィルタ収容部２３側の係合部４８に係合させるとともに、後部上部の第２の係合部４６を、フィルタ収容部２３側の係合部４９に係合させることにより、フィルタ収容部２３に着脱可能に取り付けられている。
【００２３】
フィルタ収容部２３側には、図７に示すように、当該フィルタ収容部２３に取り付けた第２のフィルタ部材３８における前記つまみ部４７の裏側に位置させて、前面側が開口した凹部５０が形成されている。使用者は、この凹部５０に手指を挿入してつまみ部４７を手前側に押し出すことができる。第２のフィルタ部材３８における水平状部３８ａの前部の中央部には、ねじ取付可能部５１（図６参照）が設けられている。この場合、ねじ取付可能部５１にはねじは取り付けられておらず、塞がれている。
【００２４】
第１のフィルタ部材３７におけるフィルタ本体部３９において、これの後部には固定部５２（図８参照）が設けられ、下部前部の左右両側に押圧部５３が設けられている。固定部５２には、後方へ突出する山状の凸部５２ａが設けられている。押圧部５３は、下方へ突出する凸状をなしている。図５に示すように、フィルタ収容部２３内に第２のフィルタ部材３８を取り付けた状態で、第１のフィルタ部材３７をフィルタ収容部２３内に挿入し、後部上部の固定部５２の凸部５２ａを、前記凹部５０内に挿入させることで、第１のフィルタ部材３７をフィルタ収容部２３内に取り付ける。この取付状態で、前部下部の押圧部５３が、第２のフィルタ部材３８の水平状部３８ａの前部を上から押さえ付ける状態となる。また、この状態で、第１のフィルタ部材３７における閉塞部４０およびフィルタパネル４１が、フィルタ収容部２３の開口部３６を閉塞する。
【００２５】
ここで、乾燥運転時に循環風路２０を流れる空気は、図２に矢印で示すように、排気口２７から排気ダクト２１、乾燥フィルタユニット２２のフィルタ収容部２３、中間ダクト２４、ヒートポンプ用ダクト２５、給気ダクト２６を順に流れる。フィルタ収容部２３においては、図５に矢印で示すように、通風口４２から第１のリントフィルタ部４３、第２のリントフィルタ部４４を順に通過する。したがって、第２のリントフィルタ部４４を有する第２のフィルタ部材３８は、第１のフィルタ部材３７の下流側に配置されている。第２のリントフィルタ部４４は、第１のリントフィルタ部４３よりも目が細かく設定されていて、第１のリントフィルタ部４３を通過したリントも捕獲できるようになっている。
【００２６】
外箱２の上面部２ｂには、第１のフィルタ部材３７におけるフィルタパネル４１を開閉するフィルタカバー５４が設けられている。このフィルタカバー５４は、後端部の軸部５５を支点に上下方向へ回動可能に取り付けられている。フィルタカバー５４の前部には、切欠き部による手掛け部５６が形成されている。
【００２７】
外箱２内には、図示はしないがマイクロコンピュータを主体とした制御装置が設けられている。この制御装置は、制御プログラムを備えていて、前記操作パネル５におけるタッチパネル８の入力部の入力と、各種センサからの信号と、制御プログラムに基づき、タッチパネル８の表示部、モータ１８、給水機構、排水弁１３、ヒートポンプ２８の圧縮機、送風機３１などを制御する機能を備えている。
【００２８】
次に上記構成の作用を説明する。
回転槽１５内に収容された衣類（図示せず）を乾燥させる場合、扉４を閉鎖し、また、第１のフィルタ部材３７および第２のフィルタ部材３８をフィルタ収容部２３内に取り付けるとともに、フィルタカバー５４を閉じた状態とし、制御装置が乾燥運転を実行する。乾燥運転では、モータ１８により回転槽１５を適宜回転させるとともに、ヒートポンプ２８の圧縮機を駆動させ、さらに送風機３１を駆動させる。
【００２９】
このうち、回転槽１５を適宜回転させることで、回転槽１５内の衣類が撹拌される。ヒートポンプ２８の圧縮機を駆動させることで、凝縮器３０から放熱し、蒸発器２９で周辺空気を冷却する。さらに、送風機３１を駆動させることで、図２に矢印で示すように、循環風路２０における凝縮器３０で加熱された温風が、給気ダクト２６を通り、給気口３５から乾燥室を形成する水槽９内、ひいては回転槽１５内に供給される。回転槽１５内に供給された温風は、衣類と接触して衣類を温めるとともに、衣類から湿気を奪う。
【００３０】
そして、湿気を含んだ空気は、排気口２７から循環風路２０の排気ダクト２１側へ排出される。排気ダクト２１側へ排出された空気は、乾燥フィルタユニット２２におけるフィルタ収容部２３内を通過し、中間ダクト２４を通り、ヒートポンプ用ダクト２５内へ入る。ヒートポンプ用ダクト２５内へ入った空気は、蒸発器２９を通過する際に冷却されて除湿される。除湿された空気は凝縮器３０で再び加熱され、給気口３５から水槽９内ひいては回転槽１５内に供給される。これを繰り返すことで、回転槽１５内の衣類が乾燥される。
【００３１】
この乾燥に伴い、衣類から出たリント（糸屑）も排気口２７から循環風路２０側へ排出される。排気口２７から循環風路２０側へ排出されたリントは、乾燥フィルタユニット２２のフィルタ収容部２３内を通過する際に、まず第１のリントフィルタ部４３にて捕獲され、その第１のリントフィルタ部４３を通過した細かなリントも第２のリントフィルタ部４４にて捕獲されるようになる。これにより、循環風路２０側へ排出されたリントの大部分が第１のリントフィルタ部４３および第２のリントフィルタ部４４にて捕獲されるようなるので、リントの捕獲効率を向上させることが可能になる。
【００３２】
このような洗濯乾燥機１においては、第１のリントフィルタ部４３および第２のリントフィルタ部４４が目詰まりすると、循環風路２０を流れる循環風量が減少し、乾燥効率が低下するため、それら第１のリントフィルタ部４３および第２のリントフィルタ部４４を定期的に掃除する必要がある。
【００３３】
これらリントフィルタ部４３，４４を掃除する場合には、洗濯乾燥機１の運転を停止し、電源をオフした状態で、使用者は、まず外箱２の上面部２ｂにおけるフィルタカバー５４を開き、第１のフィルタ部材３７における手掛け部４１ａに手を掛けて第１のフィルタ部材３７を持ち上げ、フィルタ収容部２３から取り出す。この後、使用者は、フィルタ収容部２３内に手を挿入し、凹部５０を利用して第２のフィルタ部材３８におけるつまみ部４７を手前に倒すようにすることで、後部の係合部４９に対する第２の係合部４６の係合を外すとともに、下部前部の係合部４８に対する第１の係合部４５の係合を外す。この後、つまみ部４７を摘まんで第２のフィルタ部材３８を持ち上げ、フィルタ収容部２３から取り出す。そして、取り出した第１のフィルタ部材３７の第１のリントフィルタ部４３、および第２のフィルタ部材３８の第２のリントフィルタ部４４を掃除する。
【００３４】
掃除が完了したら、まず第２のフィルタ部材３８をフィルタ収容部２３内に挿入し、前部の第１の係合部４５を係合部４８に係合させるとともに、後部の第２の係合部４６を係合部４９に係合させることで、第２のフィルタ部材３８をフィルタ収容部２３内に取り付ける。この後、第１のフィルタ部材３７の手掛け部４１ａに手を掛けた状態で、第１のフィルタ部材３７をフィルタ収容部２３内に挿入し、後部の固定部５２の凸部５２ａを凹部５０に挿入するとともに、第１のフィルタ部材３７全体を下方へ押し込む。これにより、第１のフィルタ部材３７をフィルタ収容部２３内に取り付ける。この後、フィルタカバー５４を閉じておく。
【００３５】
上記した実施形態によれば、次のような作用効果を得ることができる。
まず、乾燥フィルタユニット２２におけるフィルタ収容部２３内に、第１のリントフィルタ部４３を有する第１のフィルタ部材３７と、第２のリントフィルタ部４４を有する第２のフィルタ部材３８を取り付ける構成とすることで、リントフィルタ部４３，４４が二重構造となり、リントの捕獲効率を向上させることができる。
【００３６】
また、第１のフィルタ部材３７および第２のフィルタ部材３８は、ともにフィルタ収容部２３に対して着脱可能であるから、それらを取り出して掃除することが容易にできる。しかも、第１のフィルタ部材３７の下流側に位置する第２のフィルタ部材３８には、つまみ部４７を設けているので、そのつまみ部４７を利用することで、第２のフィルタ部材３８の着脱操作が一層容易にでき、それの清掃性を一層向上できる。
【００３７】
第２のフィルタ部材３８は、フィルタ収容部２３への取付状態で当該フィルタ収容部２３に係合する第１の係合部４８を下部の水平状部３８ａの前部に、第２の係合部４９を後部の立上がり部３８ｂの上部に備えているので、前後方向および上下方向に固定され、安定した状態で固定することができる。
【００３８】
フィルタ収容部２３には、前記つまみ部４７に対応する部位に凹部５０が設けられているので、その凹部５０を利用することでつまみ部４７に手指を掛けやすくなり、これにより第２のフィルタ部材３８を一層着脱し易くできる。
【００３９】
フィルタ収容部２３内に第２のフィルタ部材３８を配置した状態で、第２のフィルタ部材３８における第１の係合部４５、第２の係合部４６の係合が不完全（非係合状態）であったとしても、フィルタ収容部２３内に第１のフィルタ部材３７を取り付けて全体を押し込むことで、それら第１の係合部４５および第２の係合部４６を係合状態にさせることが可能になる。
【００４０】
（第２実施形態）
第２実施形態について図９を参照して説明する。この第２実施形態は、第１実施形態とは次の点が異なっている。すなわち、第２のフィルタ部材３８において、立上がり部３８ｂの上部に、前方に向けて水平状態で突出するつまみ部６０を設けている。これによれば、つまみ部６０が水平状態で突出しているから、そのつまみ部６０が手指で一層摘まみ易く、第２のフィルタ部材３８を一層取り出し易くできる。
【００４１】
（第３実施形態）
第３実施形態について図１０を参照して説明する。この第３実施形態は、第１実施形態とは次の点が異なっている。すなわち、第２のフィルタ部材３８において、水平状部３８ａの前部に設けられたねじ取付可能部５１に、化粧ねじからなるねじ６２を取り付けている。ねじ６２は、ねじ軸６２ａの上部に短円柱状の頭部６２ｂを有している。ねじ６２を取り付ける場合には、ねじ取付可能部５１に予めねじ取付孔を形成しておき、ねじ軸６２ａをそのねじ取付孔に上方からねじ込んで取り付ける。ねじ６２を取り付けた状態では、頭部６２ｂが水平状部３８ａから上方へ突出している。したがって、この実施形態においては、第２のフィルタ部材３８のつまみ部は、頭部６２ｂを手指で摘まむことが可能なねじ６２で構成している。これによれば、ねじ６２の頭部６２ｂをつまみ部として利用することができる。
【００４２】
（その他の実施形態）
洗濯乾燥機としては、水槽および回転槽の軸線が上下方向に指向する、いわゆる縦軸型のものでもよい。また、衣類乾燥機としては、洗濯機能を備えていない構成のものでもよい。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
図面中、１は洗濯乾燥機（衣類乾燥機）、２は外箱、９は水槽（乾燥室）、１５は回転槽、１８はモータ、２０は循環風路、２２は乾燥フィルタユニット、２３はフィルタ収容部、２７は排気口、２８はヒートポンプ、３１は送風機、３５は給気口、３６は開口部、３７は第１のフィルタ部材、３８は第２のフィルタ部材、３８ａは水平状部、３８ｂは立上がり部、３９はフィルタ本体部、４０は閉塞部、４１はフィルタパネル、４２は通風口、４３は第１のリントフィルタ部、４４は第２のリントフィルタ部、４５は第１の係合部、４６は第２の係合部、４７はつまみ部、４８，４９は係合部、５０は凹部、５２は固定部、５３は押圧部、５４はフィルタカバー、６０はつまみ部、６２はねじ（つまみ部）、６２ｂは頭部を示す。
【図１】
2017038849.tif 000003
【図２】
2017038849.tif 000004
【図３】
2017038849.tif 000005
【図４】
2017038849.tif 000006
【図５】
2017038849.tif 000007
【図６】
2017038849.tif 000008
【図７】
2017038849.tif 000009
【図８】
2017038849.tif 000010
【図９】
2017038849.tif 000011
【図１０】
2017038849.tif 000012